(57)【要約】【課題】受信可能なチャンネルの変化に応じて、ユーザに対し快適な視聴環境を提供する放送信号受信装置及び制御方法を提供する。【解決手段】本実施形態に係る放送信号受信装置は、右旋円偏波に含まれる第１の放送信号及び左旋円偏波に含まれる第２の放送信号を受信する受信部と、第１の放送信号に含まれ、少なくとも１つ以上のチャンネルに対応する第１の番組情報と、第２の放送信号に含まれ、少なくとも１つ以上のチャンネルに対応する第２の番組情報とを合成することにより第３の番組情報を生成し、第３の番組情報を用いて１つの電子番組表を生成する制御部とを備える。【選択図】図１
2019161500.tif 000002
【特許請求の範囲】
【請求項１】
右旋円偏波に含まれる第１の放送信号及び左旋円偏波に含まれる第２の放送信号を受信する受信部と、
前記第１の放送信号に含まれ、少なくとも１つ以上のチャンネルに対応する第１の番組情報と、前記第２の放送信号に含まれ、少なくとも１つ以上のチャンネルに対応する第２の番組情報とを合成することにより第３の番組情報を生成し、前記第３の番組情報を用いて１つの電子番組表を生成する制御部と、
を備える
放送信号受信装置。
【請求項２】
前記電子番組表を、チャンネルごとの番組欄に分けて表示する表示部と、
を備え、
前記表示部は、前記第３の番組情報に所定チャンネルの番組情報が含まれない場合に、前記所定チャンネルの前記番組欄を表示しない
請求項１に記載の放送信号受信装置。
【請求項３】
チャンネルごとの受信状態を記憶するチャンネルリストを格納する記憶部と、
を具備し、
前記制御部は、所定の間隔で前記第３の番組情報に前記所定チャンネルの番組情報が含まれるか否かを確認する処理を実行し、前記第３の番組情報に前記所定チャンネルの番組情報が含まれる場合に、前記チャンネルリストに含まれる前記所定チャンネルの受信状態を受信可能を示すデータに更新する
請求項２に記載の放送信号受信装置。
【請求項４】
前記表示部は、前記第３の番組情報に前記所定チャンネルの番組情報が含まれない状態から、前記第３の番組情報に前記所定チャンネルの番組情報が含まれる状態に変化した場合に、前記所定チャンネルの前記番組欄を表示するとともに、前記所定チャンネルの前記番組欄に所定の強調表示を行う
請求項２又は請求項３に記載の放送信号受信装置。
【請求項５】
右旋円偏波に含まれる第１の放送信号及び左旋円偏波に含まれる第２の放送信号を受信することと、
前記第１の放送信号に含まれ、少なくとも１つ以上のチャンネルに対応する第１の番組情報と、前記第２の放送信号に含まれ、少なくとも１つ以上のチャンネルに対応する第２の番組情報とを合成することにより、第３の番組情報を生成することと、
前記第３の番組情報を用いて１つの電子番組表を生成することと、
を備える制御方法。
【発明の詳細な説明】
【技術分野】
【０００１】
本発明の実施形態は、放送信号受信装置及び制御方法に関する。
【背景技術】
【０００２】
高度ＢＳデジタル放送および高度広帯域ＣＳデジタル放送（以下、高度ＢＳ／ＣＳ放送と呼ぶ）におけるマルチメディアサービスとは、字幕サービス、文字スーパーサービス、データコンテンツサービスの総称であり、非特許文献１、非特許文献２の規定および非特許文献３の運用規定に従って行われる。高度ＢＳ／ＣＳ放送の実用放送の開始に先駆け、これらの放送を受信できる機器の開発が進められている。
【先行技術文献】
【特許文献】
【０００３】
【特許文献１】特開２０１０−１７８２６１号公報
【特許文献２】特開２００８−１０３９４２号公報
【特許文献３】特開２００８−８５４０３号公報
【非特許文献】
【０００４】
【非特許文献１】「デジタル放送におけるＭＭＴによるメディアトランスポート方式  標準規格」  ARIB STD-B60 1.10版  2017年7月27日改定、一般社団法人  電波産業会
【非特許文献２】「デジタル放送におけるマルチメディア符号化方式（第２世代）標準規格」  ARIB STD-B62 1.7版  2017年7月27日改定、一般社団法人  電波産業会
【非特許文献３】「高度広帯域衛星デジタル放送運用規定  技術資料」  ARIB TR-B39 1.5版  2017年10月17日改定、一般社団法人  電波産業会
【発明の概要】
【発明が解決しようとする課題】
【０００５】
高度ＢＳ／ＣＳの実用放送開始直後においては放送局及びチャンネルが決定しているため、受信機側は当該放送局及びチャンネルの情報を保持しているものの、開局している放送局が少ないことが予想される。
【０００６】
また、高度ＢＳ／ＣＳ放送は４Ｋ及び８Ｋ放送に対応するため、ユーザは、例えば現行のＢＳ／１１０度ＣＳ用アンテナを高度ＢＳ／ＣＳ放送に対応したアンテナへ交換するまで、全ての高度ＢＳ／ＣＳ放送を見ることはできない。
【０００７】
したがって、高度ＢＳ／ＣＳの実用放送開始後は、受信機は放送波が受信できないチャンネルを選局したり、高度ＢＳ／ＣＳ放送の番組表に番組が表示できない（すなわち、番組表が空白となる）状態が続くため、ユーザの利便性を損ない、またユーザの操作が煩雑になるという課題がある。
【０００８】
そこで本実施形態は、受信可能なチャンネルの変化に応じて、ユーザに対し快適な視聴環境を提供する放送信号受信装置及び制御方法を提供することを目的とする。
【課題を解決するための手段】
【０００９】
本実施形態に係る放送信号受信装置は、右旋円偏波に含まれる第１の放送信号及び左旋円偏波に含まれる第２の放送信号を受信する受信部と、前記第１の放送信号に含まれ、少なくとも１つ以上のチャンネルに対応する第１の番組情報と、前記第２の放送信号に含まれ、少なくとも１つ以上のチャンネルに対応する第２の番組情報とを合成することにより第３の番組情報を生成し、前記第３の番組情報を用いて１つの電子番組表を生成する制御部とを備える。
【図面の簡単な説明】
【００１０】
【図１】図１は、実施形態に係る放送信号受信装置（テレビジョン受信装置とも呼ぶ）の構成の一例を示すブロック図である。
【図２Ａ】図２Ａは、チャンネルフィルタ設定の第１の例を示す図である。
【図２Ｂ】図２Ｂは、チャンネルフィルタ設定の第２の例を示す図である。
【図２Ｃ】図２Ｃは、チャンネルフィルタ設定の第３の例を示す図である。
【図３Ａ】図３Ａは、番組表のチャンネルフィルタ設定の第１の例を示す図である。
【図３Ｂ】図３Ｂは、番組表のチャンネルフィルタ設定の第２の例を示す図である。
【図４】図４は、実施形態に係るチャンネルフィルタ設定処理の一例を示すフローチャートである。
【図５】図５は、受信不可チャンネルを含む場合の第１の選局例を示す図である。
【図６】図６は、受信不可チャンネルを含む場合の第２の選局例を示す図である。
【図７】図７は、チャンネル受信リストの一例を示す図である。
【図８】図８は、実施形態に係る選局処理の一例を示す図である。
【図９】図９は、受信不可チャンネルを含む場合の番組表の第１の表示例を示す図である。
【図１０】図１０は、受信不可チャンネルを含む場合の番組表の第２の表示例を示す図である。
【図１１】図１１は、実施形態に係る番組表生成・表示処理の一例を示す図である。
【図１２】図１２は、受信可能となったチャンネルの通知例を示す図である。
【発明を実施するための形態】
【００１１】
本実施形態において、ダイレクト選局（ワンタッチ選局）とは、例えばリモートコントローラ（リモコン）などにおいてチャンネルが割り当てられたボタン（ワンタッチ選局ボタン）を押下することにより、当該チャンネルを選局することを指す。また、アップダウン選局とは、例えばリモコンなどのアップボタン又はダウンボタンなどを押下することにより、チャンネル番号順にアップ／ダウン選局することを指す。
【００１２】
以下、実施の形態について図面を参照して説明する。
【００１３】
図１は、本実施形態に係る放送信号受信装置（テレビジョン受信装置とも呼ぶ）１の構成の一例を示すブロック図である。
【００１４】
テレビジョン受信装置１は、高度ＢＳ／ＣＳ放送波を受信する機能を有する基本機能部１１、通信制御部１２、アプリケーション制御部１３、ブラウザ１４、合成器１５を含み、これらは任意のソフトウェア及びハードウェア（又はファームウェア）などにより実現される。またテレビジョン受信装置１は、記憶装置１６、プロセッサ１７、主メモリ１８を含む。
【００１５】
ここで、ソフトウェアにより実現されるとは、例えば、テレビジョン受信装置１が実行するプログラムなどにより各機能が実行されることを指す。すなわち、記憶装置１６には例えば任意のプログラムが格納され、プロセッサ１７は、当該プログラムを記憶装置１６から読み出して実行することにより、各機能を実現する。
【００１６】
なお、記憶装置１６は、例えばＲＯＭ（Read Only Memory）、フラッシュメモリ、ＨＤＤ（Hard Disk Drive）、ＳＳＤ（Solid State Drive）などである。プロセッサ１７は、例えば、ＣＰＵ（Central Processing Unit）、ＭＰＵ（Microprocessor Unit）、ＤＳＰ（Digital Signal Processing）などである。主メモリ１８は、例えばＲＡＭ（Random Access Memory）などの揮発性メモリである。
【００１７】
またテレビジョン受信装置１は、表示器２とも接続している。表示器２は、スピーカ３を内蔵している。
【００１８】
基本機能部１１は、テレビジョン受信装置としての基本的な機能を有する処理部である。基本機能部１１は、放送局から図示しないトランスポンダ（中継機）を経由して送られてくる放送波を受信し、放送波に含まれる符号化された映像信号（映像ストリームとも呼ぶ）、符号化された音声信号（音声ストリームとも呼ぶ）、アプリケーションデータ、および伝送制御信号を分離し、映像信号および音声信号をデコードしたり、アプリケーションデータを受信し、伝送制御信号を解析するなどの機能を持つ。アプリケーションデータには、例えば番組表データ（番組情報）であるＥＰＧ（Electronic Program Guide）データが含まれる。
【００１９】
高度広帯域ＢＳ／ＣＳ放送の各チャンネルは、それぞれ右旋円偏波及び左旋円偏波のいずれか一方に対応する。このため、基本機能部１１は、右旋円偏波及び左旋円偏波の両方の放送波を受信する。また、高度広帯域ＢＳ／ＣＳ放送においては、右旋円偏波に対応するチャンネルのＥＰＧデータは右旋円偏波を用いて送信され、左旋円偏波に対応するチャンネルのＥＰＧデータは左旋円偏波を用いて送信される。
【００２０】
また基本機能部１１は、テレビジョン受信装置１に接続されている周辺機器、例えば表示器２、スピーカ３、テレビジョン受信装置１に接続されているＵＳＢストレージ６、レコーダ７との間のデータの送受信の管理も行う。なお、ＵＳＢストレージ６は、例えばＨＤＤ、ＳＳＤ、ＵＳＢメモリ等である。
【００２１】
基本機能部１１は、放送チューナ１０１、デマルチプレクサ１０２、デスクランブラ１０４、映像デコーダ１０６、音声デコーダ１０７、字幕デコーダ１０８、キャッシュデータ部１０９、伝送制御信号解析部１１０を含む。
【００２２】
放送チューナ１０１は、放送波で送られてきたストリーム（放送信号）を復調する。復調されたストリーム（放送信号）は、デマルチプレクサ１０２に入力される。デマルチプレクサ１０２は、入力された多重化されているストリームを映像ストリーム、音声ストリーム、字幕ストリーム、アプリケーションデータ、伝送制御信号に分離する。映像ストリーム、音声ストリーム、字幕ストリーム、アプリケーションデータはデスクランブラ１０４に入力され、伝送制御信号は伝送制御信号解析部１１０に入力される。
【００２３】
デスクランブラ１０４は、必要に応じてそれぞれのストリームをデスクランブルして、映像ストリームを映像デコーダ１０６に、音声ストリームを音声デコーダ１０７に、字幕ストリームを字幕デコーダ１０８に、アプリケーションデータをキャッシュデータ部１０９にそれぞれ入力する。
【００２４】
映像ストリームは映像デコーダ１０６でデコードされ、音声ストリームは音声デコーダ１０７でデコードされ、字幕ストリームは字幕デコーダ１０８でデコードされる。
【００２５】
伝送制御信号解析部１１０は、伝送制御信号に含まれる各種制御情報の解析を行う。伝送制御信号解析部１１０は、解析した伝送制御信号のうち、アプリケーションデータに関する制御情報であるＭＨ−ＡＩＴ、データ伝送メッセージをアプリケーション制御部１３に送る。
【００２６】
通信制御部１２は、例えば、ネットワーク４とのＩ／Ｆ（インタフェース）であるネットワークＩ／Ｆ１２１と、リモートコントローラ（リモコン）５とのＩ／ＦであるリモコンＩ／Ｆ１２２と、ＵＳＢストレージ６とのＩ／ＦであるＵＳＢＩ／Ｆ１２３と、レコーダ７などとのＩ／ＦであるＨＤＭＩ（登録商標） Ｉ／Ｆ１２４及びｉＬＩＮＫ Ｉ／Ｆ１２５などを含む。
【００２７】
通信制御部１２は、ネットワークＩ／Ｆ１２１及びネットワーク４を経由して、例えば図示しないサービス事業者装置などと接続することができる。通信制御部１２は、サービス事業者装置などが管理しているアプリケーション又はコンテンツなどのデータを、ネットワーク４を経由して送受信することができる。受信したデータは、通信制御部１２からブラウザ１４に送られ、表示等に使用される。
【００２８】
なお、通信制御部１２は、外部機器との接続環境に応じて必要なＩ／Ｆのみを備えていてもよい。テレビジョン受信装置１が外部機器と接続されない場合は、通信制御部１２は省略可能である。
【００２９】
アプリケーション制御部１３は、アプリケーションデータに含まれるＥＰＧデータ、及び、伝送制御信号解析部１１０より送られてきたアプリケーションデータに関する制御情報であるＭＨ−ＡＩＴ、データ伝送メッセージ等の制御情報の管理、制御を行う。
【００３０】
アプリケーション制御部１３は、キャッシュデータ部１０９に保存されたキャッシュされたデータを用いて、ブラウザ１４を制御することでデータ放送の画面表示制御を行う。また、ブラウザ１４は、字幕デコーダ１０８の出力データにより字幕の画面重畳データを生成する。
【００３１】
また、アプリケーション制御部１３は、チャンネルフィルタ設定部１３１、番組表生成部１３２、選局処理部１３３を含む。
【００３２】
チャンネルフィルタ設定部１３１は、チャンネルフィルタ設定に関するメニュー及び設定画面を表示し、ユーザよりチャンネルフィルタ設定を受け付ける。チャンネルフィルタ設定においては、選局又は番組表の生成及び表示が行われる際、受信不可のチャンネルを選局又は表示するか否かが設定される。
【００３３】
チャンネルフィルタ設定部１３１は、ユーザよりチャンネルフィルタ設定に関する設定項目が選択された場合に、選択された設定項目に対応する設定データを保存する。当該設定データは、記憶装置１６に格納される。なお、チャンネルフィルタ設定部１３１が行う処理の詳細については、図２〜図４を用いて後述する。
【００３４】
番組表生成部１３２は、放送波に含まるＥＰＧデータを用いて、表示器２に表示される番組表データを生成する。番組表データは、例えば、チャンネルごとのＥＰＧデータをユーザが視認可能なように一覧表にまとめたデータである。より具体的には、番組表生成部１３２は、テレビジョン受信装置１が番組表の表示を行う際に、チャンネルフィルタ設定部１３１の設定データ及び後述するチャンネル受信リストを読み出して受信可能なチャンネルを確認し、受信可能な各チャンネルのＥＰＧデータを結合することにより番組表データを生成する。生成された番組表データは、電子番組表として表示器２に表示される。
【００３５】
また、番組表生成部１３２は、右旋円偏波により受信したＥＰＧデータと、左旋円偏波により受信したＥＰＧデータとを合成（結合）し、１つのＥＰＧデータを生成する。これにより、左旋及び右旋の２つのＥＰＧデータを持つ必要がなくなるため、データ管理が容易となる。なお、１つのＥＰＧデータは、１つの電子番組表として表示器２に表示される。
【００３６】
番組表生成部１３２が行う番組表生成・表示処理の詳細については、図９〜図１２を用いて後述する。
【００３７】
選局処理部１３３は、例えばユーザからの選局操作、外部機器からの選局指令などに応じて、選局処理を行う。より具体的には、選局処理部１３３は、チャンネルフィルタ設定部１３１の設定データ及びチャンネル受信リストを読み出し、読み出したデータに基づいて選局処理を行う。選局処理部１３３が行う処理の詳細については、図５〜図８を用いて後述する。
【００３８】
デコードされた映像信号および字幕、データ放送、生成された番組表などの表示内容は、合成器１５で合成され表示器２に出力される。
【００３９】
また、音声デコーダ１０７でデコードされた音声データは、表示器２に内蔵されているスピーカ３に出力される。
【００４０】
なお、映像デコーダ１０６のコーデック種別は、Ｈ．２６５とするが、これに限定されるものではなく、ＭＰＥＧ−２、Ｈ．２６４のいずれでもよい。またコーデック種別は、これに限るものではない。
【００４１】
表示器２は、スピーカ３を内蔵しており、基本機能部１１においてデコードされた映像信号を表示領域に表示したり、音声信号をスピーカ３に出力したりする。なお、表示器２に内蔵されているスピーカ３は、ＵＳＢＩ／Ｆ１２３などにより接続した外部のスピーカであってもよい。
【００４２】
なお、図１の例において表示器２は、テレビジョン受信装置１と別体として記載しているが、テレビジョン受信装置１の一機能としてテレビジョン受信装置１と一体であってもよい。
【００４３】
以下、図２Ａ〜図２Ｃを用いて、高度ＢＳ／ＣＳ放送のチャンネルフィルタ設定の例について説明する。チャンネルフィルタ設定は、例えば設定画面Ｕ１を用いて行われる。
【００４４】
設定画面Ｕ１は、例えば表示項目２０１及び２０２を含む。表示項目２０１には、例えば「表示する」、「表示しない」、「個別設定」の３種類の設定項目が設けられる。表示項目２０２には、表示項目２０１の中から選択された項目に対応する説明文が表示される。
【００４５】
図２Ａは、表示項目２０１のうち「表示する」が選択された場合の設定画面Ｕ１の状態を示す。この「表示する」が選択された場合、選局処理部１３３は、例えば高度広帯域ＢＳ／ＣＳ放送のうち受信不可であるチャンネルが存在する場合でも、全てのチャンネルを選局可とする。また、番組表生成部１３２は、例えば受信不可であるチャンネルを含む全てのチャンネルからなる番組表を生成する。
【００４６】
図２Ｂは、表示項目２０１のうち「表示しない」を選択した場合の設定画面Ｕ１の状態を示す。この「表示しない」が選択された場合、選局処理部１３３は、高度広帯域ＢＳ／ＣＳ放送のうち受信可能なチャンネルのみを選局可とする。また、番組表生成部１３２は、受信可能なチャンネルからなる番組表を生成する。
【００４７】
図２Ｃは、表示項目２０１のうち「個別設定」が選択された場合の設定画面Ｕ１の状態を示す。この「個別設定」が選択された場合、例えば表示項目２０２には番組表の表示方法及び選局方法を個別に設定可能な設定項目が表示される。個別設定項目には、例えば、「番組表」、「選局（スキップ）」、「選局（ダイレクト）」などが含まれる。また、各個別設定項目は、チェックボックスなどにより選択可能である。
【００４８】
当該個別設定項目のうち、「番組表」が選択された場合、番組表生成部１３２は、受信不可であるチャンネルを含む全てのチャンネルからなる番組表を生成する。一方、「番組表」が選択されない場合、受信可能なチャンネルからなる番組表を生成する。
【００４９】
当該個別設定項目のうち、「選局（スキップ）」が選択された場合、選局処理部１３３は、アップダウン選局が行われる際に、受信可能なチャンネルのみを選局可とする。すなわち、受信不可であるチャンネルはスキップされる。一方、「選局（スキップ）」が選択されない場合、選局処理部１３３は、アップダウン選局が行われる際に、受信不可であるチャンネルを含む全てのチャンネルを選局可とする。すなわち、受信不可であるチャンネルもスキップされずに選局される。
【００５０】
当該個別設定項目のうち、「選局（ダイレクト）」が選択された場合、選局処理部１３３は、受信不可であるチャンネルを含む全てのチャンネルをダイレクト選局可とする。一方、「選局（ダイレクト）」が選択されない場合、選局処理部１３３は、受信可能なチャンネルのみをダイレクト選局可とする。
【００５１】
また、上述の個別設定項目のうち、「番組表」の設定項目は、設定画面Ｕ１ではなく、番組表の表示に関する別の設定項目により設定可能でもよい。以下、図３Ａ及び図３Ｂを用いて、番組表のチャンネルフィルタ設定の例について説明する。番組表のチャンネルフィルタ設定は、例えば、設定画面Ｕ３を用いて行われる。設定画面Ｕ３は、例えば番組表の表示画面から遷移可能であってもよい。
【００５２】
設定画面Ｕ３には、例えば表示項目３０１に示すように「すべて」、「受信チャンネル」の２種類の設定項目が設けられる。表示項目３０２には、表示項目３０１の中から選択された項目に対応する説明文が表示される。
【００５３】
図３Ａに示すように、表示項目３０１のうち「すべて」が選択された場合、番組表生成部１３２は、受信不可であるチャンネルを含む全てのチャンネルからなる番組表を生成する。
【００５４】
一方、図３Ｂに示すように、表示項目３０１のうち「受信チャンネル」が選択された場合、番組表生成部１３２は、受信可能なチャンネルからなる番組表を生成する。
【００５５】
なお、番組表のチャンネルフィルタ設定に関する処理は、番組表生成部１３２により実行されてもよく、又は、チャンネルフィルタ設定部１３１により実行されてもよい。また、テレビジョン受信装置１において設定画面Ｕ１及び設定画面Ｕ３の両方が設定可能である場合、番組表に関する設定項目は同期されることが好ましい。例えば、設定画面Ｕ１において表示項目２０１のうち「表示しない」が選択された場合、設定画面Ｕ３では表示項目３０１のうち「受信チャンネル」が自動選択される。また、例えば、設定画面Ｕ１において表示項目２０１のうち「表示しない」が選択されている状態で、設定画面Ｕ３において表示項目３０１のうち「すべて」が選択された場合、設定画面Ｕ１において表示項目２０１「個別設定」が自動選択され、さらに個別設定項目のうち「番組表」のみが選択される。
【００５６】
図４は、実施形態に係るチャンネルフィルタ設定処理の一例を示すフローチャートである。
【００５７】
ステップＳ１０１において、チャンネルフィルタ設定部１３１は、例えばユーザ操作による指令又は外部機器からの指令などに基づき、設定メニューを表示する。設定メニューには、テレビジョン受信装置１の各種設定項目が含まれる。
【００５８】
ステップＳ１０２において、チャンネルフィルタ設定部１３１は、例えばユーザの操作により、設定メニューのうちチャンネルフィルタの設定を行う旨の項目が選択された場合に、チャンネルフィルタ設定画面（例えば、設定画面Ｕ１）を表示する。
【００５９】
ステップＳ１０３において、チャンネルフィルタ設定部１３１は、チャンネルフィルタ設定画面に含まれる設定項目（例えば、表示項目２０１）が選択されたか否かを判定する。設定項目が選択されない場合は、設定項目が選択されるまで待機する。一方、設定項目が選択された場合、ステップＳ１０４において、チャンネルフィルタ設定部１３１は、選択された設定項目に対応する設定データを、記憶装置１６などに格納する。
【００６０】
なお、図４の例においては、設定画面Ｕ１を経由したチャンネルフィルタ設定処理の例を示したが、設定画面Ｕ３を経由する場合についても同様である。
【００６１】
以下、図５及び図６を用いて、受信不可であるチャンネルを含む場合に、図２のチャンネルフィルタ設定に応じてテレビジョン受信装置１の選局動作が変化する様子を示す。テレビジョン受信装置１は、選局操作が行われると、表示器２に選局されたチャンネルの映像及び番組情報を表示する。図５及び図６は、選局に伴って表示される番組情報表示Ｕ５の変化を示している。なお、番組情報表示Ｕ５は、例えば映像に重畳して表示されるバナーなどである。
【００６２】
番組情報表示Ｕ５は、チャンネル番号を示す表示項目５０１、チャンネル名を示す表示項目５０２、ユーザに提示される番組情報を示す表示項目５０３を含む。選局処理部１３３は、選局指令を受信すると、選局されたチャンネルに対応するチャンネル番号、チャンネル名及び番組情報を表示項目５０１〜表示項目５０３に表示する。
【００６３】
また、図５及び図６の例においては、アップダウン選局において「５ＣＨ（チャンネル）→６ＣＨ→１１ＣＨ」の順に選局されるものとする。
【００６４】
図５は、表示項目２０１のうち「表示する」が選択された場合、又は、表示項目２０１の「個別設定」のうち「選局（スキップ）」が選択されない場合の、テレビジョン受信装置１のアップダウン選局による選局動作の例を示す。
【００６５】
状態ａ１〜ａ３は、６ＣＨが受信不可である場合にアップダウン選局が行われた場合の選局状態を示している。５ＣＨが選局されている状態（状態ａ１）で、例えばリモートコントローラ５のアップボタンが押下されると、６ＣＨが表示される（状態ａ２）。６ＣＨは受信不可であるため、番組情報を示す表示項目５０３は表示されない。さらに、アップボタンが押下されると、１１ＣＨが表示される。
【００６６】
一方、状態ｂ１〜ｂ３は、状態ａ１〜ａ３において６ＣＨが受信可能となった場合の選局状態を示している。５ＣＨが選局されている状態（状態ｂ１）で、例えばリモートコントローラ５のアップボタンが押下されると、６ＣＨが表示される（状態ｂ２）。６ＣＨは受信可能であるため、番組情報を示す表示項目５０３が表示される。さらに、アップボタンが押下されると、１１ＣＨが表示される（状態ｂ３）。
【００６７】
ここで、６ＣＨが新たに受信可能となったチャンネルであることをユーザが認識できるよう、状態ｂ２の番組情報表示Ｕ５に所定の強調表示が行われる。所定の強調表示として、例えば、番組情報表示Ｕ５に重畳してマークＭが表示されてもよい。マークＭは、例えば６ＣＨの表示項目５０１又は表示項目５０２付近に表示される。なお、マークＭは、受信可能となった日から所定の期間（日数）経過後に表示しないようにしてもよい。また、マークＭは、ユーザが視認しやすい他の記号などで表されてもよい。また、マークＭの表示に代えて、表示項目５０１及び／又は表示項目５０２が色付き表示などにより、ユーザに認識しやすいよう強調表示されてもよい。なお、マークＭの重畳表示処理は、アプリケーション制御部１３により行われてもよく、又は、例えばブラウザ１４などにより行われてもよい。
【００６８】
一度付されたマークＭは、所定のタイミングで消去される。例えば、マークＭは、ユーザが当該マークＭを付されたチャンネルを選局した時に消去されてもよい。また、ユーザが当該マークＭを付されたチャンネルを選局しない場合は、マークＭは、所定の期間経過後に消去されてもよい。
【００６９】
図６は、表示項目２０１のうち「表示しない」が選択された場合、又は、表示項目２０１の「個別設定」のうち「選局（スキップ）」が選択された場合の、テレビジョン受信装置１の選局動作の例を示す。
【００７０】
状態ｃ１，ｃ２は、６ＣＨが受信不可である場合にアップダウン選局が行われた場合の選局状態を示している。５ＣＨが選局されている状態（状態ｃ１）で、例えばリモートコントローラ５のアップボタンが押下されると、受信不可である６ＣＨは表示されずに（スキップ）、１１ＣＨが表示される（状態ｃ２）。
【００７１】
一方、状態ｄ１〜ｄ３は、状態ｃ１，ｃ２において６ＣＨが受信可能となった場合の選局状態を示している。５ＣＨが選局されている状態（状態ｄ１）で、例えばリモートコントローラ５のアップボタンが押下されると、６ＣＨが選局可能であるため表示される（状態ｄ２）。さらに、アップボタンが押下されると、１１ＣＨが表示される（状態ｄ３）。
【００７２】
なお、図５と同様に、状態ｄ２の番組情報表示Ｕ５に重畳してマークＭが表示されてもよい。
【００７３】
なお、アップダウン選局においては、後述するチャンネル受信リストＵ７の表示順に選局が行われてもよく、又はこれ以外の所定の順に選局が行われてもよい。
【００７４】
図７は、チャンネル受信リストＵ７の一例を示す図である。チャンネル受信リストＵ７は、所定の操作により表示器２に表示される。チャンネル受信リストＵ７は、例えばテレビジョン受信装置１の設定メニューより選択可能であってもよい。
【００７５】
チャンネル受信リストＵ７は、チャンネルの番号を示す表示項目７０１（「番号」）、チャンネルの名称を示す表示項目７０２（「チャンネル名」）、チャンネルごとの受信状態を示す表示項目７０３（「受信環境」）を関連付けて表示する。チャンネル受信リストＵ７において、表示項目７０３が「受信」であるチャンネルは受信可能状態であり、表示項目７０３が「未受信」であるチャンネルは受信不可状態であることを示す。チャンネル受信リストＵ７には、チャンネルフィルタ設定にかかわらず放送局が識別可能な（又は対応予定の）全てのチャンネルが表示される。
【００７６】
ユーザは、チャンネル受信リストＵ７を用いて、各チャンネルの受信環境を更新可能である。例えば、ユーザは、リモートコントローラ５の操作などにより、チャンネル受信リスト上でフォーカス７０４を移動して所望のチャンネルを選択する。選局処理部１３３は、フォーカス７０４により選択されたチャンネルを選局し、当該チャンネルが受信可能であるか否かを判定する。そして、選局処理部１３３は、受信可能である場合には表示項目７０３の「受信環境」を「受信」に設定（更新）し、受信不可である場合には、「受信環境」を「未受信」に設定（更新）する。
【００７７】
選局処理部１３３は、ユーザによるチャンネル受信リストＵ７の操作によらず、所定の間隔でチャンネルが新しく受信可能になったか否かを判定してもよい。所定の間隔は、例えば１日毎などである。
【００７８】
また、チャンネル受信リストＵ７は、番組表生成・表示処理において、又は、アップダウン選局もしくはダイレクト選局などの選局処理において、各チャンネルが受信可能であるか否かを確認する際に参照される。例えば、番組表生成部１３２及び選局処理部１３３は、記憶装置１６よりチャンネル受信リストＵ７を読み出し、各チャンネルの「受信環境」欄の状態を確認することにより、各チャンネルが受信可能であるか否かを判定する。
【００７９】
なお、チャンネル受信リストＵ７は、例えば放送局などにより定められた放送予定のチャンネル情報を含む状態であらかじめ記憶装置１６に記憶される。チャンネル受信リストＵ７は、例えば以下のようにして更新される。まず、選局処理部１３３は、高度広帯域ＢＳ／ＣＳ放送に対応するトランスポンダを選択し、放送波に含まれるＮＩＴ（Network Information Table）を確認することにより、各チャンネルの開局状態を確認する。高度広帯域ＢＳ／ＣＳ放送は、左旋円偏波及び右旋円偏波の両方に対応するため、左旋円偏波に対応するトランスポンダ及び右旋円偏波に対応するトランスポンダの両方が選択されてもよく、又は、いずれか一方のみが選択されてもよい。次に、選局処理部１３３は、ＮＩＴ及びＥＰＧデータを用いて、ＮＩＴに含まれるチャンネルにおいて実際の放送が行われているか否かを判定する。この実際の放送が行われているか否かについては実際にそのチャンネルを受信して受信できるか否かで判断しても良いし、或いはそのチャンネルのＥＰＧが送られているか否かにより判断しても良い。選局処理部１３３は、ＮＩＴにより取得され放送が行われていると判定したチャンネルと、記憶装置１６に格納されているチャンネル受信リストＵ７とに基づいて、新たなチャンネル受信リストＵ７を生成する。
【００８０】
また、各チャンネルが受信可能であるか否かは、例えば放送チューナ１０１が受信した放送信号の信号強度及び信号品質などに基づいて判定される。一般に、１つのトランスポンダは複数のチャンネルに対応する放送信号を送受信するため、ここではトランスポンダごとにチャンネルの受信判定を行うことを考える。具体的には、選局処理部１３３は、まず受信した放送信号のうち伝送制御信号に含まれるチャンネル情報を抽出する。さらに、選局処理部１３３は、当該チャンネル情報に基づき、放送を行っているトランスポンダをスキャンし、トランスポンダが対応する周波数の信号の受信品質が所定の基準を満たすか否かを確認する。所定の基準とは、例えば、信号レベルが所定のレベル以上あり、かつ復調ＩＣなどで検知されるエラーレートが０であること、などである。
【００８１】
なお、一般に各トランスポンダには所定の帯域幅の周波数が対応するが、低周波信号に比べて高周波信号の方が、減衰幅が大きい。このため、１つのトランスポンダに対し、例えば低周波信号及び高周波信号を組み合わせて信号レベル確認するなど、複数の周波数の信号レベルの確認が行われてもよい。
【００８２】
また、選局処理部１３３は、トランスポンダごとではなく、チャンネルごとに受信判定を行ってもよい。上述の処理は、アプリケーション制御部１３により実行されてもよく、基本機能部１１により実行されてもよく、又は両者の共同により実行されてもよい。
【００８３】
なお、図７は、高度ＢＳ放送のチャンネル受信リストＵ７について示しているが、高度ＣＳ放送についても、同様にチャンネル受信リストが生成されることが好ましい。
【００８４】
図８は、実施形態に係る選局処理の一例を示す図である。より具体的には、図８は、表示項目２０１のうち「表示しない」が選択された場合、又は、表示項目２０１の「個別設定」のうち「選局（スキップ）」が選択された場合の、テレビジョン受信装置１の選局処理の例を示す。
【００８５】
ステップＳ３０１において、選局処理部１３３は、例えばユーザ又は外部機器などによりチャンネルアップ（又はダウン）操作が行われたか否かを判定する。チャンネルアップ（又はダウン）操作が行われない場合は、選局操作は行われない。
【００８６】
チャンネルアップ（又はダウン）操作が行われた場合、ステップＳ３０２において、選局処理部１３３は、次（又は前）のチャンネルが受信可能であるか否かを確認する。選局処理部１３３は、チャンネル受信リストＵ７を読み出し、次に選局されるチャンネル番号（表示項目７０１）又はチャンネル名（表示項目７０２）に対応する受信環境（表示項目７０３）を確認する。
【００８７】
次（又は前）のチャンネルが受信可能である場合、ステップＳ３０３において、選局処理部１３３は、当該次（又は前）のチャンネルを選局する。
【００８８】
一方、次（又は前）のチャンネルが受信不可である場合、ステップＳ３０４において、チャンネル受信リストＵ７を用いて次（又は前）の受信可能なチャンネルを検索し、該当するチャンネルを選局する。
【００８９】
ステップＳ３０５において、選局処理部１３３は、ステップＳ３０３又はＳ３０４において表示したチャンネルが新しく受信可能となったチャンネルであるか否かを確認する。新しく受信可能となった場合は、ステップＳ３０６において、アプリケーション制御部１３は、表示中のチャンネルにマークＭを重畳表示する。
【００９０】
また、表示項目２０１のうち「表示する」が選択された場合、又は、表示項目２０１の「個別設定」のうち「選局（スキップ）」が選択されない場合は、受信不可であるチャンネルも選局されるため、ステップＳ３０４の処理は不要である。
【００９１】
なお、図８においては、アップダウン選局が行われる場合の選局処理を例示した。一方、ダイレクト選局が行われる場合には、ステップＳ３０２〜Ｓ３０４の処理のみが異なる。例えば、表示項目２０１「個別設定」のうち「選局（ダイレクト）」が選択されない場合に、ダイレクト選局により受信不可であるチャンネルが選択された場合は、当該チャンネルは選局されないため、選局処理は行われない。また、「個別設定」のうち「選局（ダイレクト）」が選択された場合に、ダイレクト選局により受信不可であるチャンネルが選択された場合は、当該チャンネルは選局される。
【００９２】
以下、図９及び図１０を用いて、受信不可であるチャンネルを含む場合に、図２のチャンネルフィルタ設定に応じてテレビジョン受信装置１の番組表表示動作が変化する様子を示す。図９及び図１０においては、４ＣＨ（チャンネル）及び６ＣＨが受信可能となる前後で、表示器２に表示される番組表Ｕ９が変化する様子を示す。
【００９３】
また、図５及び図６の例に示す番組表Ｕ９において、各チャンネルの番組表は、例えば左から右に「１ＣＨ→２ＣＨ…１２ＣＨ→１ＣＨ→…」のように、チャンネル番号の小さい順にトグル表示されるものとする。
【００９４】
図９は、表示項目２０１のうち「表示する」が選択された場合、表示項目２０１の「個別設定」のうち「番組表」が選択された場合、又は、表示項目３０１のうち「すべて」が選択された場合の、テレビジョン受信装置１の番組表表示動作の例を示す。
【００９５】
状態ｅ１は、４ＣＨ及び６ＣＨが受信不可である場合の番組表Ｕ９の状態を示している。状態ｅ１においては、４ＣＨの番組表の表示枠９０１及び６ＣＨの番組表の表示枠９０２が確保されている。表示枠９０１，９０２は、各チャンネルの番組情報をチャンネルごとに分けて表示するための番組欄である。表示枠９０１，９０２には、それぞれ番組表を表示できない（受信不可である）旨のメッセージなどが表示される。換言すれば、状態ｅ１は、後述する状態ｆ１の番組表（受信不可である４ＣＨ及び６ＣＨを表示しない番組表）に、４ＣＨ及び６ＣＨの表示枠９０１，９０２及び所定のメッセージを加えた状態である。
【００９６】
一方、状態ｅ２は、４ＣＨ及び６ＣＨが受信可能となった場合の番組表Ｕ９の状態を示している。状態ｅ２において、表示枠９０１，９０２には、４ＣＨ及び６ＣＨに対応する番組表が表示される。
【００９７】
なお、４ＣＨ及び６ＣＨは新たに受信可能となったチャンネルであることをユーザが認識できるよう、図５及び図６と同様に、状態ｅ２の表示枠９０１，９０２に重畳してマークＭが表示されてもよい。
【００９８】
図１０は、表示項目２０１のうち「表示しない」が選択された場合、表示項目２０１の「個別設定」のうち「番組表」が選択されない場合、又は、表示項目３０１のうち「受信チャンネル」が選択された場合の、テレビジョン受信装置１の番組表表示動作の例を示す。
【００９９】
状態ｆ１は、４ＣＨ及び６ＣＨが受信不可である場合の番組表Ｕ９の状態を示している。状態ｆ１においては、４ＣＨ及び６ＣＨの番組表の番組欄は確保されず、４ＣＨ及び６ＣＨを飛ばして、チャンネル番号の若い順に各チャンネルの番組表が表示されている。
【０１００】
一方、状態ｆ２は、４ＣＨ及び６ＣＨが受信可能となった場合の番組表Ｕ９の状態を示している。状態ｅ２において、４ＣＨの番組表の表示枠９０１が状態ｆ１の３ＣＨの番組表と５ＣＨの番組表との間に挿入され、表示枠９０１には４ＣＨの番組表が表示される。同様に、６ＣＨの番組表の表示枠９０２が状態ｆ１の５ＣＨと７ＣＨとの間に挿入され、表示枠９０２には６ＣＨの番組表が表示される。
【０１０１】
なお、図９と同様に、状態ｆ２の表示枠９０１，９０２に重畳してマークＭが表示されてもよい。
【０１０２】
図１１は、実施形態に係る番組表生成・表示処理の一例を示す図である。より具体的には、図１１は、表示項目２０１のうち「表示しない」が選択された場合、表示項目２０１の「個別設定」のうち「番組表」が選択されない場合、又は、表示項目３０１のうち「受信チャンネル」が選択された場合における番組表生成・表示処理の例を示す。
【０１０３】
ステップＳ５０１において、番組表生成部１３２は、番組表表示ボタンが押下されたことを検出する。より具体的には、番組表生成部１３２は、番組表表示ボタンが押下されることによりアプリケーション制御部１３が番組表の表示指令を受信したことを検知する。なお、番組表表示ボタンは、例えばリモートコントローラ５に設けられていてもよく、又は、テレビジョン受信装置１に設けられていてもよい。
【０１０４】
番組表の表示指令を検知した場合、ステップＳ５０２において、番組表生成部１３２は、例えば記憶装置１６よりチャンネル受信リストＵ７を読み出し、新しく受信可能なったチャンネルが存在するか否かを確認する。
【０１０５】
新しく受信可能になったチャンネルが存在しない場合、ステップＳ５０３において、番組表生成部１３２は、従来通りの番組表、すなわち前回表示した番組表を記憶装置１６より読み出して表示する。
【０１０６】
一方、新しく受信可能になったチャンネルが存在する場合、ステップＳ５０４において、番組表生成部１３２は、前回表示した番組表に受信可能になったチャンネルを挿入して番組表を生成し、生成された番組表を表示する。なお、番組表におけるチャンネルの表示順は、チャンネル受信リストＵ７の表示順に基づいて決定されてもよく、又は、他の所定の基準もしくはユーザの選択などに基づいて決定されてもよい。
【０１０７】
ステップＳ５０５において、番組表生成部１３２は、ステップＳ５０４で表示した番組表に表示されるチャンネルのうち、新しく受信可能になったチャンネルの番組欄にマークＭを重畳表示する。なお、マークＭは、受信可能となった日から所定の期間（日数）経過後に表示しないようにしてもよい。
【０１０８】
なお、ステップＳ５０３において、表示項目２０１のうち「表示する」が選択された場合、表示項目２０１の「個別設定」のうち「番組表」が選択された場合、又は、表示項目３０１のうち「すべて」が選択された場合は、図９に示したように受信不可であるチャンネルの番組欄も表示され、当該チャンネルの番組欄には、表示できない旨の文言が表示される。
【０１０９】
また、上述のステップＳ５０３，Ｓ５０４においては、番組表生成部１３２は、記憶装置１６に格納された番組表を読み出す、又は、読み出した当該番組表にチャンネルを挿入すると説明したが、番組表を生成するタイミング毎に新規に番組表を生成してもよい。
【０１１０】
図１２は、受信可能となったチャンネルの通知例を示す図である。  
【０１１１】
受信可能となったチャンネルは、例えば通知画面Ｕ１１により通知される。通知画面Ｕ１１は、ユーザに対する通知内容を表示する表示項目１２０１、受信可能となったチャンネルの情報を示す表示項目１２０２などを含む。
【０１１２】
テレビジョン受信装置１は、例えば電源オフ（スタンドバイ）状態時に受信環境を自動的に確認する。より具体的には、選局処理部１３３は、スタンドバイ状態時にチャンネル受信リストＵ７に含まれる各チャンネルが受信可能であるか否かを確認する。受信環境の確認の頻度は、例えば１日毎などである。
【０１１３】
テレビジョン受信装置１は、その更新情報をもとに新しいチャンネルが受信できたら、お知らせ機能により表示する機能を有する。なお、お知らせ機能は、例えばリモートコントローラ５の所定のボタンを押下するなどの所定の操作により表示される。
【０１１４】
なお、通知画面Ｕ１１は、例えばユーザがテレビジョン受信装置１の電源をオンした際に所定の時間表示されてもよい。これにより、ユーザが受信可能なチャンネルが増えたことに気付きやすくなる。
【０１１５】
以上説明した本実施形態においては、テレビジョン受信装置１は、受信不可であるチャンネルの表示又は非表示に関する設定を行うチャンネルフィルタ設定を可能とし、当該設定項目にしたがって、番組表の表示動作及び選局動作を行う。例えば、ユーザは、受信不可であるチャンネルの番組表を表示させないように設定することで、現時点で受信不可であるチャンネルの番組表を非表示とし、当該チャンネルが受信可能となった時点で表示させることができる。また例えば、ユーザは受信不可であるチャンネルのスキップ選局及びダイレクト選局をさせないように設定することで、現時点で受信不可であるチャンネルを選局不可とし、受信可能となった時点で選局可とすることができる。これにより、ユーザは受信不可であるチャンネルの存在を意識することなく、受信可能なチャンネルのみを表示又は選局可能となるため、ユーザの利便性が向上する。
【０１１６】
本実施形態においては、チャンネルフィルタ設定において、番組表の表示動作及び選局動作を個別に設定可能である。これにより、例えば、受信不可であるチャンネルに対して選局はしたくないが番組表は表示させたい、などといったユーザの多様なニーズに応えることができる。
【０１１７】
本実施形態において、テレビジョン受信装置１は、受信不可であったあるチャンネルが受信可能となり視聴できる環境になった場合に、マークＭを当該チャンネルの選局時の画面又は番組表に重畳して表示させる。これにより、ユーザは受信可能となったチャンネルの存在に気付きやすくなるため、ユーザの利便性が向上する。
【０１１８】
また、テレビジョン受信装置１は、受信可能であったあるチャンネルが受信不可となり視聴できなくなった場合に、受信不可となった旨を示すマークなどを、マークＭと同様に当該チャンネルの選局時の画面又は番組表に重畳して表示させてもよい。これにより、ユーザは受信環境に問題が生じていること、又は、ユーザは放送局が閉局したことなどに気付きやすくなる。
【０１１９】
なお、本実施形態においては、設定メニューに、マークＭを重畳表示するか否かを設定する項目、及び、マークＭの表示期間を設定する項目などが設けられてもよい。これにより、ユーザはマークＭの表示に関する細かい設定を行うことができるため、ユーザの利便性が向上する。
【０１２０】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【０１２１】
また、図面は、説明をより明確にするため、実際の態様に比べて、模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【０１２２】
１…テレビジョン受信装置、２…表示器、３…スピーカ、４…ネットワーク、５…リモートコントローラ（リモコン）、６…ＵＳＢストレージ、７…レコーダ、１１…基本機能部、１２…通信制御部、１３…アプリケーション制御部、１４…ブラウザ、１５…合成器、１０１…放送チューナ、１０２…デマルチプレクサ、１０４…デスクランブラ、１０６…映像デコーダ、１０７…音声デコーダ、１０８…字幕デコーダ、１０９…キャッシュデータ部、１１０…伝送制御信号解析部、１２１…ネットワークＩ／Ｆ、１２２…リモコンＩ／Ｆ、１２３…ＵＳＢＩ／Ｆ、１２４…ＨＤＭＩ Ｉ／Ｆ、１２５…ｉＬＩＮＫ Ｉ／Ｆ、１３１…チャンネルフィルタ設定部、１３２…番組表生成部１３２…選局処理部。
【図１】
2019161500.tif 000003
【図２Ａ】
2019161500.tif 000004
【図２Ｂ】
2019161500.tif 000005
【図２Ｃ】
2019161500.tif 000006
【図３Ａ】
2019161500.tif 000007
【図３Ｂ】
2019161500.tif 000008
【図４】
2019161500.tif 000009
【図５】
2019161500.tif 000010
【図６】
2019161500.tif 000011
【図７】
2019161500.tif 000012
【図８】
2019161500.tif 000013
【図９】
2019161500.tif 000014
【図１０】
2019161500.tif 000015
【図１１】
2019161500.tif 000016
【図１２】
2019161500.tif 000017